【事件の表示】
　特願２００９−５４３４１０「調量装置用の供給モジュール」拒絶査定不服審判事件〔平成２０年　７月１０日国際公開、ＷＯ２００８／０８０６９０、平成２２年　５月　６日国内公表、特表２０１０−５１４９７３〕について、次のとおり審決する。
【結　論】
　本件審判の請求は、成り立たない。
【理　由】
第１．手続の経緯
　本願は、２００７年１１月１５日（優先権主張外国庁受理　２００６年１２月２８日　ドイツ連邦共和国）を国際出願日とする出願であって、平成２１年６月２９日付けで国内書面が提出され、平成２１年８月３１日付けで明細書、請求の範囲及び要約書の翻訳文が提出され、平成２３年４月１１日付けで拒絶理由通知がなされ、平成２３年１０月１４日付けで意見書及び手続補正書が提出されたが、平成２４年５月２２日付けで拒絶査定がなされ、これに対し、平成２４年９月２８日付けで拒絶査定に対する審判請求がなされると同時に同日付けで特許請求の範囲を補正する手続補正書が提出され、その後、当審において平成２４年１１月８日付けで書面による審尋がなされ、平成２５年２月７日付けで回答書が提出されたものである。
　
第２．平成２４年９月２８日付けの手続補正の却下の決定
　
［補正却下の決定の結論］
　平成２４年９月２８日付けの手続補正を却下する。
　
［理由］
１．本件補正
　
（１）本件補正の内容
　平成２４年９月２８日付けで提出された手続補正書による手続補正（以下、「本件補正」という。）は、特許請求の範囲の請求項１に関しては、本件補正により補正される前の（すなわち、平成２３年１０月１４日付けで提出された手続補正書における）下記（ａ）を、下記（ｂ）へと補正するものである。
　
（ａ）本件補正前の特許請求の範囲
「【請求項１】
　内燃機関の排気ガス通路内への還元剤の導入のための調量装置用の供給モジュールであって、ケーシング（５２）を備えており、該ケーシング内に複数の構成要素（７０，８０，８２，８４，８６）を収納してある形式のものにおいて、加熱装置（８２）は、射出成形部分として形成されたケーシング（５２）内に組み込まれており、該ケーシングは別の構成要素（７０，８０，８６，９０）の収容のための少なくとも１つの室（６４，６６，６８）を含んでおり、ケーシング（５２）は、駆動装置（８０）及びポンプ（９０）の収容のための第１の室（６４）、加熱装置（８２）の収容のための第２の室（６６）、並びに作動マグネット（８６）の収容のための第３の少なくとも１つの室（６８）を含んでいることを特徴とする、調量装置用の供給モジュール。」
　
（ｂ）本件補正後の特許請求の範囲
「【請求項１】
　内燃機関の排気ガス通路内への還元剤の導入のための調量装置用の供給モジュールであって、ケーシング（５２）を備えており、該ケーシング内に複数の構成要素（７０，８０，８２，８４，８６）を収納してある形式のものにおいて、加熱装置（８２）は、
プラスチック射出成形による
、ケ
おり、加熱装置（８２）はケーシング内の個別の室内に収容された各構成要素に対し熱伝達若しくは熱放射にとって適した位置で、かつ、ケーシング（５２）の中央近傍に配置して収容されている
（下線は本件補正箇所を示すために、請求人が付したものである。）
　
（２）本件補正の目的要件について
　本件補正は、本件補正前の請求項１に係る発明の発明特定事項である「射出成形部分として形成されたケーシング（５２）内に組み込まれて」いる「加熱装置（８２）」に関して、本件補正後に、「射出成形部分として形成されたケーシング（５２）」を「
プラスチック射出成形による
ケーシング内の個別の室内に収容された各構成要素に対し熱伝達若しくは熱放射にとって適した位置で、かつ、ケーシング（５２）の中央近傍に配置して収容されている
　　したがって、本件補正は、特許法第１７条の２第５項第２号に規定される「特許請求の範囲の減縮」を目的とする補正に該当する。
　
　そこで、本件補正後の請求項１に係る発明（以下、「本願補正発明」という。）が、特許出願の際独立して特許を受けることができるものであるかについて、以下に検討する。
　
２．引用刊行物
　
（１）引用文献
　原査定の拒絶の理由に引用された、本願の優先日前に頒布された刊行物である国際公開２００６／０７２４４４（２００６年７月１３日公開。以下、「引用文献」という。）には、次の事項が図面とともに記載されている。
（なお、ドイツ語の「アーウムラウト」、「オーウムラウト」、「ウーウムラウト」及び「エスツェット」は、それぞれ「ae」、「oe」、「ue」及び「ss」と、それぞれ記載する。） 
　
ア）「 1. Dosierpumpenaggregat 　　……
　einer Pumpmembran sind.」（請求項１ないし１７）
（当審仮訳）
「【請求項１】
　還元剤を搬送する計量ポンプ（２）と、該計量ポンプ（２）により搬送される還元剤を圧縮ガスと混合する混合部を含んで構成される予混合装置（３９）と、を含んで構成される、排ガス流に液体還元剤を添加する計量ポンプユニットであって、
　セントラルプレート（４０）を含んで構成されるポンプヘッドを含んで構成され、前記セントラルプレート（４０）には、少なくとも前記計量ポンプ（２）と前記予混合装置（３９）とが配置されることを特徴とする計量ポンプユニット。
（…中略…）
【請求項３】
　前記セントラルプレート（４０）の第１表面が、前記計量ポンプユニットの駆動装置ハウジングのフロントプレート（８０）接触面に密着し、その際に、該フロントプレート（８０）は、前記セントラルプレート（４０）とは反対側で前記計量ポンプ（２）の駆動装置を支持することを特徴とする請求項１又は請求項２に記載の計量ポンプユニット。
【請求項４】
　前記計量ポンプ（２）の駆動装置が位置する側と反対側の前記セントラルプレート（４０）の第２表面には、エンドプレート（４２）が密着することを特徴とする請求項１〜請求項３のいずれか１項に記載の計量ポンプユニット。
（…中略…）
【請求項７】
　前記計量ポンプ（２）は、ダイヤフラムポンプとして形成されており、前記セントラルプレート（４０）は、前記第１表面に前記ポンプ室を決定する中空部（１４０）を含んで構成され、該中空部は、前記第１表面において、前記ポンプダイヤフラムによって閉じられることを特徴とする請求項１〜請求項６のいずれか１項に記載の計量ポンプユニット。
【請求項８】
　前記セントラルプレート（４０）の前記中空部（１４０）領域には、該中空部（１４０）が設けられたセントラルプレート表面とは反対側の前記第２表面まで延びる少なくとも１つの貫通口が形成されていることを特徴とする請求項７記載の計量ポンプユニット。
（…中略…）
【請求項１０】
　前記中空部（１４０）領域から前記第２表面まで延びる貫通口（１３４）は、出口側で前記計量ポンプ（２）につながる圧力流路（１６）を形成し、該圧力流路は、前記予混合装置（３９）と、前記セントラルプレート（４０）に配置される遮断弁（１２）と、に接続されていることを特徴とする請求項８又は請求項９に記載の計量ポンプユニット。
【請求項１１】
　前記遮断弁（１２）は、圧縮ガスで作動され、前記セントラルプレート（４０）内及び前記セントラルプレート（４０）の少なくとも１つの表面の少なくとも一方に形成された流路（１６２、１６４）を経由して、圧縮ガス入口（１２８）に接続されることを特徴とする請求項１０記載の計量ポンプユニット。
【請求項１２】
　前記遮断弁（１２）は、前記セントラルプレート（４０）の第１表面に形成された中空部（７８）に挿入され、ダイヤフラムポンプとして形成されることを特徴とする請求項１１記載の計量ポンプユニット。
（…中略…）
【請求項１６】
　前記セントラルプレート（４０）の駆動装置ハウジング側表面には、加熱要素を収容する中空部（１６８）が形成されていることを特徴とする請求項１〜請求項１５のいずれか１項に記載の計量ポンプユニット。
【請求項１７】
　前記セントラルプレート（４０）内に配置される全ての可動バルブ要素（８６、６４、７０）の運動方向は、互い平行であり、ポンプダイヤフラムの運動方向と平行であることを特徴とする請求項１〜請求項１６のいずれか１項に記載の計量ポンプユニット。」
　
イ）「Beschreibung　……
　einer Membranpumpe an der Zentralplatte angebracht sein.」（第１ページ第１行ないし第３ページ第１０行）
（当審仮訳。以下、訳の参考とした特表２００８−５２７２２８号公報における段落番号については、そのまま転記する。）
「【技術分野】
【０００１】
　本発明は、排ガス流に液体還元剤を混合する計量ポンプユニットに関する。
【背景技術】
【０００２】
　自己着火型内燃機関は、多くの運転状態において過剰酸素下で運転され窒素酸化物を発生する。これは、特に、直接噴射する際に主燃焼室で生じるディーゼルエンジンに典型的な現象である。この窒素酸化物の排出を削減するために、排ガス流を還元触媒コンバータに供給する方法が公知である。この場合の還元剤としては、通常、尿素水溶液が用いられ、これを触媒コンバーターの入口前で、精密に計量して排ガスに供給する。この場合、添加される尿素量は、内燃機関のプロセスに対して可能な限り正確に適合させなければならない。これは、触媒コンバーター内で可能な限り完全な還元を得るためであり、そして、尿素添加が過剰になることを避けるためである。
【０００３】
　還元剤を計量供給して排ガス流に添加するためには、欧州特許第１４３５４５８Ａ１号（EP1435458A1）に開示されているような特殊な計量ポンプユニットが公知である。この計量ポンプユニットは、供給する還元剤を、計量ポンプユニット内で且つ排ガス流供給管より上流側で、圧縮空気と混合するか、又は添加する。この公知の計量ポンプユニットは、外部に対して４つの接続部を持つ。即ち、吸い込み管に対する接続部、戻り管に対する接続部、圧縮空気供給管に対する接続部、及び排気系における噴射ノズルへの配管に対する接続部である。還元剤に圧縮空気を混合するため、計量ポンプと予混合装置を運転するに重要なすべてのコンポーネントは、この計量ポンプユニットに組み込まれている。
【発明の開示】
【発明が解決しようとする課題】
【０００４】
　本発明の課題は、液圧系コンポーネント、及び、このような計量ポンプユニットの液圧系回路として、可能な限り組み立て容易且つ構造の単純な配置物を得ることである。
【課題を解決するための手段】
【０００５】
　この課題は、請求項１に開示した特徴を有する計量ポンプユニットによって解決される。好ましい態様を、従属請求項、下記の説明、及び図面に開示する。
【０００６】
　本発明に係る計量ポンプユニットは、主要コンポーネントとして、還元剤を計量して搬送する計量ポンプを含んで構成される。この計量ポンプを制御することにより、排ガス流に添加される還元剤の搬送量を調節する。計量ポンプは、例えば、ピストンポンプ又はダイヤフラムポンプとして形成することができ、この場合、特定の時間間隔におけるポンプストローク数及びストローク速度の少なくとも一方を変化させることにより、還元剤の搬送量を正確に調節又は計量することができる。さらに、計量ポンプユニットは、予混合装置を含んで構成される。この予混合装置の混合部は、搬送される還元剤に圧縮ガス、特に、圧縮空気を加えて混合する。この場合、圧縮ガス流中において還元剤を精密に配分した混合を得る必要はない。むしろ圧縮ガス流中の還元剤、例えば、比較的大きな液滴形状のものを、排気ガス流中の噴射ノズルまで搬送できれば十分である。即ち、排ガス流に噴射する際に、還元剤の精密な配分が生じていればよい。本発明は、計量ポンプユニットの単純化構造を次のように達成する。即ち、計量ポンプユニットに１つのポンプヘッドを設け、このポンプヘッドに液圧回路のコンポーネントを配置する。この場合、ポンプヘッドは、セントラルプレートを含んで構成される。このセントラルプレートには、少なくとも計量ポンプと予混合装置とが配置される。このようにして計量ポンプ、例えば、ダイヤフラムポンプ型の計量ポンプと、予混合装置とが、１つの構成要素、即ち、セントラルプレート内に組み込まれる。これにより、取り付けに要する個々の構成要素数を減少させることができ、取り付けが容易になる。例えば、ポンプピストンを、セントラルプレートの中空部内に通し、或いはダイヤフラムポンプのダイヤフラムを、セントラルプレートに取り付けることができる。」
　
ウ）「Bevorzugt liegt die Zentralplatte　……
　Ruecklaufventil betaetigt werden koennen.」（第３ページ第２４行ないし第９ページ第１６行）
（当審仮訳）
「【０００８】
　セントラルプレートの第１表面は、計量ポンプユニットの駆動装置ハウジングのフロントプレート接触面に密着するとよい。また、このフロントプレートは、セントラルプレートとは反対側で計量ポンプの駆動装置を支持するとよい。計量ポンプユニットの駆動装置ハウジング内には、ダイヤフラムポンプのポンプダイヤフラムを駆動するため、駆動モーターと、例えば、クランクシャフトドライブと、が配置されるとよい。さらに、必要な制御電子系を、駆動装置ハウジング内に配置することができる。駆動装置全体は、フロントプレートのセントラルプレートとは反対側に取り付けるとよい。その結果、駆動装置をフロントプレートに取り付けた後、駆動装置全体を駆動装置ハウジングに挿入することができ、その後、この駆動装置ハウジングを、フロントプレートを通して外部から密閉することができる。この場合、駆動装置ハウジング内で、駆動装置又駆動装置のコンポーネントをさらに固定する必要がなくなる。電気系及び液圧系の全接続をも、このフロントプレートに設けるとよい。このようにすれば、その他の駆動装置ハウジングを、単純なキャップとして形成することができる。このキャップの開いている側が、フロントプレートに結合される。セントラルプレートの第１表面は、駆動装置ハウジングのフロントプレートに、面で密着する。これにより、セントラルプレートの第１表面は、溝として形成された流路を、フロントプレートにより密閉することができる。こうしてフロントプレートとセントラルプレートの第１表面との間に、閉じられた配管接続を形成することができる。シール要素は、フロントプレートとセントラルプレートの第１表面との間に配置される。セントラルプレートの第１表面における流路が、還元剤を導くために用いられる場合、これらの流路は、フロントプレートとセントラルプレートとの間に挿入されたシール要素によって、フロントプレートに対して、特に、好ましくは全てに対して閉じられ、又はカバーされる。その結果、フロントプレート自体が、還元剤と接触することがなくなる。これによりフロントプレートを、還元剤に対して耐性のある材質で形成する必要がなくなるという利点がある。
【０００９】
　セントラルプレートの第２表面、即ち、計量ポンプの駆動装置が位置する側とは反対側の表面には、エンドプレートが密着するとよい。このエンドプレートは、セントラルプレートの第２表面をカバーする。その際に、エンドプレートは、第２表面に溝として形成された流路を密閉する。その結果、エンドプレートとセントラルプレートの第２表面との間に、配管結合を形成することができる。エンドプレートとセントラルプレートの第１表面との間と同様に、セントラルプレートの第２表面とエンドプレートとの間にも、そこに形成される流路を密封するシール要素を配置するとよい。特に、セントラルプレートを、駆動装置ハウジングのフロントプレートとエンドプレートとの間に配置する。即ち、セントラルプレートの第１表面は、駆動装置ハウジングのフロントプレートに密着し、これとは反対側のセントラルプレート第２表面は、エンドプレートによって覆われる。また、ボルトを設けるとよい。即ち、このボルトは、エンドプレートを駆動装置ハウジングのフロントプレートに固定し、その際に、セントラルプレートをエンドプレートとフロントプレートとの間に挟み込む。その結果、エンドプレート、セントラルプレート、及び駆動装置ハウジングのフロントプレートは、シールされて密着状態で保持される。
【００１０】
　セントラルプレートの第１表面とフロントプレートとの間、及び、セントラルプレートの第２表面とエンドプレートとの間の少なくとも一方には、還元剤及び圧縮ガスの少なくとも一方を導くための流体流路が形成されているとよい。この場合、第１表面及び第２表面における各流路間の追加的な接続を、セントラルプレートを通る貫通口として形成することができる。この配置によって、計量ポンプ及び予混合装置の接続の全てと、還元剤タンク、圧縮ガス供給、及び排気系の噴射ノズルの少なくとも１つへの各接続部とを、セントラルプレートの内部又は同プレートの表面に形成することが可能となる。このようにすれば、配管の各接続部を別々に取り付ける必要がなくなる。むしろ、液圧系回路の主要コンポーネントの全てを、セントラルプレート内又はセントラルプレートに接する位置に配置することができる。そして、必要な接続流路を、セントラルプレートに接する位置又はセントラルプレート内に組み込んで形成することができる。このセントラルプレートは、金属部品、又は、好ましくはプラスチックによる射出成形部品として、製造することができる。
【００１１】
　エンドプレートには、還元剤を供給する接続部、即ち、計量ポンプの吸い込み管、還元剤タンクへの戻り管、圧縮空気を供給する配管、及び、排気系の噴射ノズルへの配管の少なくとも１つに対する接続部を形成するとよい。エンドプレートにおけるこれらの接続部は、セントラルプレートに対するエンドプレートのインタフェースであり、セントラルプレートに形成された流体流路又は圧縮ガス流路に接続されている。この場合、エンドプレートを取り付けると、計量ポンプユニットの全接続部を、同時に、セントラルプレートにおける液圧系システム又は気圧系システムに接続することができる。これにより、計量ポンプユニットを容易に組み立てることができるようになる。
【００１２】
　計量ポンプは、ダイヤフラムポンプとして形成されており、セントラルプレートは、第１表面にポンプ室を決定する中空部を含んで構成されるとよい。この中空部は、第１表面において、ポンプダイヤフラムによって密閉されるとよい。即ち、このダイヤフラムは、セントラルプレートの第１表面に設けられた中空部に挿入される。この表面は、計量ポンプユニットの駆動装置ハウジング方向を向いている。また、このダイヤフラムは、セントラルプレートとは反対側において、駆動装置、即ち、例えば、カムシャフトドライブ又はクランクシャフトドライブと結合されて駆動される。これらのドライブは、ダイヤフラムを、セントラルプレート方向に及び同プレートから離れる方向に駆動させる。これにより、ポンプ室が拡大、縮小して、還元剤が搬送される。
【００１３】
　ダイヤフラムポンプは、次のように形成するとよい。即ち、セントラルプレートの中空部領域に少なくとも１つの貫通口を形成し、この貫通口が、該中空部が設けられたセントラルプレート表面とは反対側の第２表面まで延びるように形成する。この貫通口は、ポンプ室につながる吸い込み管又は圧力管を形成する。特に、貫通口を２つ設け、一方は吸い込み管を形成し、他方は圧力管又は圧力流路を形成するとよい。このような配置は、例えば、ピストンポンプにも用いることができる。
（…中略…）
【００１５】
　中空部領域から第２表面まで延びる貫通口は、出口側で計量ポンプにつながる圧力流路を形成するとよい。そして、この圧力流路が、予混合装置と、かつセントラルプレートに配置される還流（遮断）弁と、に接続されるとよい。計量ポンプから搬送された還元剤は、この圧力流路又は圧力管を経由して予混合装置に達する。予混合装置は、同様にセントラルプレートに組み込まれ、還元剤を圧縮空気と混合する。また、この圧力流路は、遮断弁とも接続される。遮断弁は、戻り管又は還流路を、選択的に開閉する。この還流路は、セントラルプレートにおいて、遮断弁と還元剤タンクとを結ぶ接続部に接続されている。従って、計量ポンプから搬送される還元剤は、還流路を経由して還元剤タンクに還流する。計量ポンプユニットの運転を停止する際には、この遮断弁を開くことにより、計量ポンプと、計量ポンプにつながる圧力流路とに、還元剤を充填することができる。また、遮断弁も、セントラルプレートに組み込まれているので、さらに構造が簡易なものとなる。
【００１６】
　遮断弁は、圧縮ガスによって作動され、セントラルプレート内に形成された流路及びセントラルプレートの少なくとも一方の表面に形成された流路の少なくとも一方を経由して、圧縮ガス入口に接続されているとよい。このような方法により、遮断弁を作動させる電気的作動手段を省略することができる。即ち、遮断弁を、セントラルプレート内の液圧回路又は気圧回路だけで作動させることができる。このため、遮断弁に圧力を加える作動管の全ては、セントラルプレート内又はこれに接して貫通口として実現され、又は、表面に形成された溝として実現される。
【００１７】
　遮断弁は、セントラルプレートの第１表面、即ち、駆動装置ハウジングが位置する側の表面に形成される中空部に挿入され、ダイヤフラムバルブとして形成されるとよい。即ち、圧縮空気又は圧縮ガスを加えることにより、貫流口、例えば、セントラルプレートの開口部を開閉させることによって駆動するダイヤフラムを設けることができる。このようにして、還元剤タンクへの還流路を開閉する。
（…中略…）
【００１９】
　セントラルプレートに密着又はセントラルプレートの一方の表面に密着するプレート、即ち、例えば、エンドプレート又は駆動装置ハウジングのフロントプレートには、圧縮ガス入口を設けるとよい。ここで、この圧縮ガス入口は、圧縮ガス入口を開閉する調節弁に接続されているとよい。この調節弁も、セントラルプレートに組み込むことができ、或いはセントラルプレートに密着するプレート内に又はこれに接して、形成することができる。圧縮ガス入口は、中央に位置する圧縮ガス入口を形成するので、計量ポンプユニットのための圧縮ガス供給管全体を、調節弁によって開放又は遮断することができる。特に、この中央の圧縮ガス入口に、予混合装置も、圧縮ガス作動式の還流弁も接続されているので、調節弁を作動させれば、予混合装置への圧縮ガス供給管を開放することも、遮断弁を作動させることもできる。」
　
エ）「Weiter bevorzugt weist die Zentralplatte,　……
　verbunden werden koennen.」（第１０ページ第７ないし１９行）
（当審仮訳）
「【００２１】
　セントラルプレートは、加熱要素のための中空部を、駆動装置ハウジング側表面に備えるとよい。このようにすれば、セントラルプレート内部の液圧系コンポーネントを加熱することができるので、低温が原因で、計量ポンプユニット内で還元剤が凍結することを防止することができる。セントラルプレートを金属製として、加熱要素から生じた熱を、計量ポンプユニットの液圧系の全構成要素に良好に導くことができるようにする。加熱要素の電気接続も、セントラルプレートから、直接に駆動装置ハウジングのフロントプレートを通って、駆動装置ハウジング内部へ導くようにする。このようにして、これら接続を、電気接続要素又は計量ポンプユニットの制御装置と、駆動装置ハウジング内部で接続することができる。」
　
オ）「Die in diesem 　……
　Atmosphaere 30 geoeffnet ist.」（第１４ページ第２２行ないし第１５ページ第２行）
（当審仮訳）
「【００３０】
　図示の一例では、圧縮ガスとして圧縮空気を用いる。この圧縮空気は、自動車の圧縮空気供給装置２４から供給される。この種の圧縮空気供給システムは、貨物自動車には一般的に設けられているものであり、特に、ブレーキの作動に用いられる。この中央の圧縮空気供給装置２４に、図示の計量ポンプユニットが接続されている。この場合、計量ポンプユニットは、その入口側にソレノイドバルブ又は電磁弁２６を備える。この弁は、選択によって、混合部１８につながる圧縮空気配管２８を、圧縮空気供給装置２４へ接続したり、或いは大気３０に開放したりする。電気的に作動される電磁弁２６は、プリロードがかけられることによって、休止位置として図示の位置に保持される。この位置は、圧縮空気配管２８を大気３０に開放している。」
　
カ）「Das Absperrventil 12　……
　Reduktionsmitteltank 4.」（第１５ページ第１７行ないし第１６ページ第６行）
（当審仮訳）
「【００３３】
　戻り管１０の遮断弁１２は、作動管３８を介して圧縮空気配管２８に接続されており、圧縮空気で作動される。作動管３８は、圧縮空気配管２８において、圧力調整器３２とバタフライ弁３４との間に接続されている。作動管３８は、次のように機能する。まず、圧縮空気配管２８と圧縮空気供給装置２４とが接続するように電磁弁２６が切り替えられると、作動管３８にも圧力が作用する。すると、遮断弁１２が、作動管３８に加わる空気圧によって、プリロードに抗って切り替えられ、その結果、戻り管１０が閉じられるようになる。
【００３４】
　上述した各構成要素、即ち、図１に点線Ｄで示した境界内にある各構成要素、特に、計量ポンプ２、遮断弁１２、電磁弁２６、混合点１８、複数の逆止弁、及びこれら構成要素を接続する配管は、全て計量ポンプユニットに組み込まれている。従って、この計量ポンプユニットは、電気的接続を別にすれば、外部に対する流体系の接続を４つ備える構成である。即ち、圧縮空気供給装置２４との接続、噴射ノズルに接続された配管２２との接続、還元剤タンク４に接続された吸い込み管５との接続、還元剤タンク４と戻り管１０との接続の４つである。」
　
キ）「Wie in der Explosionsansicht in Fig. 8　……
　Vormischeinrichtung 39 fliesst.」（第２６ページ第５行ないし第２９ページ第２５行）
（当審仮訳）
「【００６３】
　図８の分解図に示すように、上述の計量ポンプユニットのポンプヘッドは、主として３つのプレート状構成要素を含んで構成される。即ち、セントラルプレート４０、このセントラルプレートの第１表面に密着する駆動装置ハウジングのフロントプレート８０、セントラルプレートの第１表面とは反対側の第２表面に密着するエンドプレート４２である。
【００６４】
　駆動装置ハウジングのフロントプレート８０は、駆動装置ハウジング全体の支持要素である。駆動装置ハウジングは、その前面、即ち、セントラルプレート４０側に、中空部１１０を有する。この中空部は、セントラルプレート４０の外側輪郭と同一形状になっており、ここに、セントラルプレート４０が挿入される。フロントプレート８０は、セントラルプレート４０が位置する側とは反対側の駆動装置ハウジング側に、固定装置１１２を備える。固定装置は、ダイヤフラムポンプの駆動要素を固定する。即ち、モーター、ギヤユニット、特に、カムシャフトドライブ又はクランクシャフトドライブを固定する。さらに、駆動装置ハウジング内に配置される計量ポンプユニットのその他の全部品（構成要素）は、フロントプレート８０の内側に固定される。これは、特に、電気系のｐｃボード、即ち、駆動装置と接続する電気的要素及び計量ポンプユニットの制御装置が配置されるｐｃボードが含まれる。フロントプレートは、開口部１１４を備えている。開口部には、接続プラグが集中して差し込まれる。プラグは、駆動装置ハウジングの内部に配置された電気系コンポーネント又は計量ポンプユニットの電子制御装置と、電源供給装置や外部の制御要素、例えば、貨物自動車のエンジン制御ユニットと、を接続する。フロントプレート８０のコーナーにある穴を介して、フロントプレートをカップ状の駆動装置ハウジングに結合する。そして、このハウジングを、フロントプレートの内側に取り付けられた要素の上にかぶせる。
【００６５】
　セントラルプレート４０は、エンドプレート４２を介した固定ボルト１１６により、フロントプレート８０の中空部１１０に固定される。これによりセントラルプレート４０は、フロントプレート８０とエンドプレート４２との間に挟み込まれる。
【００６６】
　フロントプレート８０とセントラルプレート４０との間には、シール要素１１８が配置されており、セントラルプレート４０とエンドプレート４２との間には、シール要素１２０が配置されている。シール要素１１８及びシール要素１２０は、セントラルプレート４０と、フロントプレート８０又はエンドプレート４２との間に形成された流路及び開口部を、互いに隣接するプレート間の空隙から密封する。この場合、シール要素１１８及びシール要素１２０は、セントラルプレート４０表面に設けられた種々の流路、開口部及び領域を、それぞれ分離又は密封するものとして形成される。
【００６７】
　エンドプレートには、３つの接続開口部１２２、１２４、１２６が形成されている。軽量ポンプは、これら開口部を経由して、外部の接続配管と接続される。接続開口部１２２には、還元剤タンク４につながる吸い込み管が接続される。計量ポンプ２は、この吸い込み管を経由して還元剤を吸い込む。接続部１２４には、還元剤タンク４に還流する戻り管１０が接続される。計量ポンプユニットの液圧システムの排気又は充填の際には、還元剤は、この戻り管を通って還元剤タンク４に還流される。接続開口部１２６には、排気系又は排気ガス流中の噴射ノズルにつながる配管２２が接続される。還元剤／圧縮ガス混合物は、この配管を通って、計量ポンプユニットから噴射ノズルに搬送される。
【００６８】
　また、エンドプレート４２には、その中空部に接続開口部１２８が形成されている。この接続開口部には、エンドプレート４２の前面、即ち、セントラルプレート４０が位置する側とは反対側に電磁弁２６が取り付けられる。電磁弁は、圧縮空気入口を形成する。電磁弁２６は、圧縮空気供給部２４と結合するための圧縮空気入口１３０を備える。その他、図示の電磁弁２６は、電気的接続プラグ１３２を備える。電気的接続プラグ１３２と結合される接続配線は、ケーブルハーネスの一部であるとよい。ケーブルハーネスは、開口部１１４に差し込まれた接続プラグに接続される。
【００６９】
　接続開口部１２２、１２４、１２６、１２８は、エンドプレート４２を貫通する貫通口とし設けられている。従って、セントラルプレート４０方向にも開いている。
【００７０】
　セントラルプレート４０は、２つの貫通口１３４及び貫通口１３６を備える。貫通口１３６は、吸い込み側を形成し、貫通口１３４は、計量ポンプ２の出口側で圧力管又は圧力流路１６の開始部分を形成する。また、セントラルプレート４０は、逆止弁６がエンドプレート４２側から貫通口１３４及び貫通口１３６に挿入されている。貫通口１３６は、逆止弁６を経由して、エンドプレート４２の接続開口部１２２と結合されている。
【００７１】
　セントラルプレート４０のエンドプレート４２側の表面には、さらに、中空部１３８が形成されている。この中空部には、スリーブ４４やパッキング７０を含んで構成される予混合装置３９が挿入される。エンドプレート４２には、中空部１３８と向かい合うところに、接続開口部１２６が形成されている。この接続開口部は、排気ガス流中の噴射ノズルにつながる配管２２又は配管２２の接続部を形成する。
【００７２】
　セントラルプレート４０のフロントプレート８０側には、中空部７８が形成されている。この中空部には、還流弁又は遮断弁１２としてのバルブ要素８６が挿入される。
【００７３】
　セントラルプレート内部の詳細な流体流路を、図９〜図１２に示されたセントラルプレート４０の詳細図を用いて、下記に詳しく説明する。
【００７４】
　図９は、フロントプレート８０側から見たセントラルプレート４０表面の正面図である。この表面には中空部１４０が形成されている。この中空部は、ダイヤフラムポンプのポンプ室を決定する。中空部１４０は、ポンプダイヤフラムによって閉じられる。このポンプダイヤフラムの外周は、中空部１４０の周縁に密着している。中空部１４０の底部には、貫通口１３４及び貫通口１３６が開口している。これら貫通口は、セントラルプレート４０を横方向に、セントラルプレートのフロントプレート８０側からエンドプレート４２側まで貫通している。このエンドプレート４２側では、貫通口１３４及び貫通口１３６は、その幅が拡張されており、逆止弁６の取り付け部を形成する。これら逆止弁は、貫通口１３４及び貫通口１３６に挿入される。これまで説明したように、貫通口１３６は、計量ポンプ２の吸い込み管を形成する。ポンプ動作の際には、還元剤は、この吸い込み管を通って吸い込まれる。貫通口１３４は、圧力管１６又は圧力流路１６の開始部分を形成する。計量ポンプによって搬送される還元剤は、この開始部分を通って、予混合装置３９に流れる。」
　
ク）「In der der Frontplatte 80　……
　verhindern.」（第３２ページ第８ないし１１行）
（当審仮訳）
「【００８２】
　さらに、セントラルプレート４０のフロントプレート８０側表面には、中空部１６８が形成されている。この中空部には、加熱要素が挿入される。この加熱要素は、セントラルプレート４０を加熱して、各流路における還元剤の凍結を防止する。」
　
（２）引用文献の記載から分かること
　上記（１）並びに図１及び６ないし１２の記載から、次のことが分かる。
　
サ）上記（１）キ）「【００６７】エンドプレートには、３つの接続開口部１２２、１２４、１２６が形成されている。　（…中略…）　接続開口部１２６には、排気系又は排気ガス流中の噴射ノズルにつながる配管２２が接続される。」への接続態様から、還元剤は、排気ガス通路内への導入であることが分かる。
　
シ）上記（１）ウ）「【０００８】　（…中略…）　計量ポンプユニットの駆動装置ハウジング内には、ダイヤフラムポンプのポンプダイヤフラムを駆動するため、駆動モーターと、例えば、クランクシャフトドライブと、が配置されるとよい。　（…中略…）　電気系及び液圧系の全接続をも、このフロントプレートに設けるとよい。このようにすれば、その他の駆動装置ハウジングを、単純なキャップとして形成することができる。このキャップの開いている側が、フロントプレートに結合される。セントラルプレートの第１表面は、駆動装置ハウジングのフロントプレートに、面で密着する。」、及び、上記（１）キ）「【００６４】　（…中略…）　フロントプレート８０は、セントラルプレート４０が位置する側とは反対側の駆動装置ハウジング側に、固定装置１１２を備える。固定装置は、ダイヤフラムポンプの駆動要素を固定する。即ち、モーター、ギヤユニット、特に、カムシャフトドライブ又はクランクシャフトドライブを固定する。さらに、駆動装置ハウジング内に配置される計量ポンプユニットのその他の全部品（構成要素）は、フロントプレート８０の内側に固定される。　（…中略…）　フロントプレート８０のコーナーにある穴を介して、フロントプレートをカップ状の駆動装置ハウジングに結合する。そして、このハウジングを、フロントプレートの内側に取り付けられた要素の上にかぶせる。」から、カップ状の駆動装置ハウジング及びフロントプレートは、駆動要素の収容のための室（以下、「室Ａ」という。）を含むケーシングであることが分かる。
　
ス）上記シ）並びに図８ないし１０に加え、上記（１）ア）「【請求項３】前記セントラルプレート（４０）の第１表面が、前記計量ポンプユニットの駆動装置ハウジングのフロントプレート（８０）接触面に密着し、その際に、該フロントプレート（８０）は、前記セントラルプレート（４０）とは反対側で前記計量ポンプ（２）の駆動装置を支持する」、及び、上記（１）キ）「【００７４】図９は、フロントプレート８０側から見たセントラルプレート４０表面の正面図である。この表面には中空部１４０が形成されている。この中空部は、ダイヤフラムポンプのポンプ室を決定する。」から、フロントプレート及びセントラルプレートは、ダイヤフラムポンプの収容のための中空部１４０を含むケーシングであることが分かる。
　
セ）上記シ）及びス）並びに図８ないし１２に加え、上記（１）ア）「【請求項１６】 前記セントラルプレート（４０）の駆動装置ハウジング側表面には、加熱要素を収容する中空部（１６８）が形成されている（…後略…）」、上記（１）ウ）「【０００９】　（…中略…）　セントラルプレートの第１表面は、駆動装置ハウジングのフロントプレートに密着し、これとは反対側のセントラルプレート第２表面は、エンドプレートによって覆われる。　（…中略…）　エンドプレート、セントラルプレート、及び駆動装置ハウジングのフロントプレートは、シールされて密着状態で保持される。【００１０】　（…中略…）　このセントラルプレートは、金属部品、又は、好ましくはプラスチックによる射出成形部品として、製造することができる。　（…中略…）　【００２１】セントラルプレートは、加熱要素のための中空部を、駆動装置ハウジング側表面に備えるとよい。このようにすれば、セントラルプレート内部の液圧系コンポーネントを加熱することができるので、低温が原因で、計量ポンプユニット内で還元剤が凍結することを防止することができる。」から、カップ状の駆動装置ハウジング、フロントプレート、セントラルプレート及びエンドプレートはケーシングであることが分かり、加熱要素はプラスチック射出成形による射出成形部分として形成されたセントラルプレート内に組み込まれており、ケーシングは、加熱要素の収容のための中空部１６８を含むものであることが分かる。
　
ソ）上記シ）ないしセ）並びに図１及び図８ないし図１２に加え、上記（１）ウ）「【００１９】　（…中略…）　 この圧縮ガス入口は、圧縮ガス入口を開閉する調節弁に接続されているとよい。この調節弁も、セントラルプレートに組み込むことができ、或いはセントラルプレートに密着するプレート内に又はこれに接して、形成することができる。　（…中略…）　 特に、この中央の圧縮ガス入口に、予混合装置も、圧縮ガス作動式の還流弁も接続されているので、調節弁を作動させれば、予混合装置への圧縮ガス供給管を開放することも、遮断弁を作動させることもできる。」、上記（１）オ）「【００３０】　（…中略…）　計量ポンプユニットは、その入口側にソレノイドバルブ又は電磁弁２６を備える。」、及び、上記（１）カ）「【００３３】　（…中略…）　圧縮空気配管２８と圧縮空気供給装置２４とが接続するように電磁弁２６が切り替えられると、作動管３８にも圧力が作用する。すると、遮断弁１２が、作動管３８に加わる空気圧によって、プリロードに抗って切り替えられ、その結果、戻り管１０が閉じられるようになる。【００３４】上述した各構成要素、即ち、図１に点線Ｄで示した境界内にある各構成要素、特に、計量ポンプ２、遮断弁１２、電磁弁２６、混合点１８、複数の逆止弁、及びこれら構成要素を接続する配管は、全て計量ポンプユニットに組み込まれている。」から、電磁弁２６が遮断弁１２を作動するためのものであり、さらに、ケーシングは、電磁弁２６を収容する室（以下、「室Ｂ」という。）を含むものであることが分かる。
　
タ）上記シ）ないしソ）並びに図１及び図８ないし図１２に加え、上記（１）エ）「【００２１】セントラルプレートは、加熱要素のための中空部を、駆動装置ハウジング側表面に備えるとよい。このようにすれば、セントラルプレート内部の液圧系コンポーネントを加熱することができるので、低温が原因で、計量ポンプユニット内で還元剤が凍結することを防止することができる。」、及び、上記（１）ク）「セントラルプレート４０のフロントプレート８０側表面には、中空部１６８が形成されている。この中空部には、加熱要素が挿入される。この加熱要素は、セントラルプレート４０を加熱して、各流路における還元剤の凍結を防止する。」から、加熱要素はケーシング内の中空部１４０に収容されたダイヤフラムポンプを含め液圧系コンポーネントを加熱することが分かる。
　
チ）上記シ）ないしソ）並びに図１及び図８ないし図１２の記載から、計量ポンプユニットは、ケーシング内に複数の構成要素を収納する形式であることが分かる。
　
（３）引用発明
　上記（１）及び（２）を総合すると、引用文献には、次の発明（以下、「引用発明」という。）が記載されている。
「内燃機関の排気ガス通路内への還元剤の導入のための計量ポンプユニットであって、ケーシングを備えており、該ケーシング内に複数の構成要素を収納してある形式のものにおいて、加熱要素は、プラスチック射出成形による射出成形部分として形成されたセントラルプレート内に組み込まれており、ケーシングは、駆動要素の収容のための室Ａ及びダイヤフラムポンプの収容のための中空室１４０、加熱要素の収容のための中空部１６８、並びに電磁弁２６の収容のための室Ｂを含んでおり、加熱要素はケーシング内の中空部１４０に収容されたダイヤフラムポンプを含め液圧系コンポーネントを加熱する計量ポンプユニット。」
　
３．対比
　本願補正発明と引用発明とを対比すると、引用発明における「計量ポンプユニット」は、その形状、構造又は技術的意義からみて、本願補正発明における「調量装置用の供給モジュール」に相当し、以下同様に、「ケーシング」は「ケーシング」に、「加熱要素」は「加熱装置（８２）」に、「駆動要素」は「駆動装置（８０）」に、「ダイヤフラムポンプ」は「ポンプ（９０）」に、「中空部１６８」は「第２の室（６６）」に、それぞれ相当する。
　また、引用発明のプラスチック射出成形による射出成形部分として形成された「セントラルプレート」は、上記（２）で述べたとおり「ケーシング」の一部であるから、引用発明のプラスチック射出成形による射出成形部分として形成された「セントラルプレート」は、「ケーシング」という限りにおいて、本願補正発明の「ケーシング」に相当する。
　してみると、本願補正発明と引用発明とは、
「内燃機関の排気ガス通路内への還元剤の導入のための調量装置用の供給モジュールであって、ケーシングを備えており、該ケーシング内に複数の構成要素を収納してある形式のものにおいて、加熱装置は、プラスチック射出成形による射出成形部分として形成されたケーシング内に組み込まれており、ケーシングは、加熱装置の収容のための第２の室を含んでいる、調量装置用の供給モジュール。」で一致し、次の点で相違する。
＜相違点１＞
　ケーシングに関して、本願補正発明においては、駆動装置（８０）及びポンプ（９０）の収容のための第１の室（６４）を含むものであるのに対し、引用発明においては、駆動要素の収容のための室Ａ及びダイヤフラムポンプの収容のための中空室１４０である点（以下、「相違点１」という。）。
＜相違点２＞
　ケーシングに関して、本願補正発明においては、作動マグネット（８６）の収容のための第３の少なくとも１つの室（６８）を含むものであるのに対し、引用発明においては、電磁弁２６の収容のための室Ｂを含むものである点（以下、「相違点２」という。）。
＜相違点３＞
　ケーシング及び加熱装置に関して、本願補正発明においては、加熱装置（８２）は、プラスチック射出成形による射出成形部分として形成されたケーシング内に組み込まれており、加熱装置（８２）はケーシング内の個別の室内に収容された各構成要素に対し熱伝達若しくは熱放射にとって適した位置で、かつ、ケーシング（５２）の中央近傍に配置して収容されているのに対し、引用発明においては、加熱要素は、プラスチック射出成形による射出成形部分として形成されたセントラルプレート内に組み込まれており、加熱要素はケーシング内の中空部１４０に収容されたダイヤフラムポンプを含め液圧系コンポーネントを加熱するものである点（以下、「相違点３」という。）。
　
４．判断
　
（１）相違点１について
　ダイヤフラムポンプ及び駆動要素について、本願明細書の発明の詳細な説明を参照すると、「【００１２】（…中略…）ダイヤフラムは、セントラルプレートとは反対側において、駆動装置、即ち、例えば、カムシャフトドライブ又はクランクシャフトドライブと結合されて駆動される。これらのドライブは、ダイヤフラムを、セントラルプレート方向に及び同プレートから離れる方向に駆動させる。これにより、ポンプ室が拡大、縮小して、還元剤が搬送される。」（上記２．（１）ウ））、及び、「【００６４】（…中略…）フロントプレート８０は、セントラルプレート４０が位置する側とは反対側の駆動装置ハウジング側に、固定装置１１２を備える。固定装置は、ダイヤフラムポンプの駆動要素を固定する。即ち、モーター、ギヤユニット、特に、カムシャフトドライブ又はクランクシャフトドライブを固定する。さらに、駆動装置ハウジング内に配置される計量ポンプユニットのその他の全部品（構成要素）は、フロントプレート８０の内側に固定される。」（上記２．（１）キ））と記載されている。そうすると、駆動要素及びダイヤフラムポンプはケーシングの一部を構成するフロントプレートの両側に配置される室Ａ及び中空室１４０にそれぞれ収容されるものの、フロントプレートには、駆動要素によりダイヤフラムポンプを駆動させるための空間部が存在することは明らかである。してみると、該空間部により連通される室Ａ及び中空室１４０からなる空間を１つの室とすることに当業者の格別の創意は要しない。また、一体構成部品ともいえる駆動要素及びダイヤフラムポンプを、ケーシング内の１つの室に収容することは、当業者が技術の具体化に際し適宜なし得る設計事項であるといえる。
　
（２）相違点２について
　引用発明における電磁弁２６を含め、作動マグネットを用いる電磁弁は一般的な態様である。してみると、作動マグネットの収容のための室については、引用文献に記載されているに等しい事項であるといえる。また、電磁弁２６を作動マグネットによる駆動とし、該作動マグネットを収容するための室を構成することは、当業者が適宜なし得る設計事項であるといえる。
　
（３）相違点３について
　本願補正発明と引用発明が「加熱装置は、プラスチック射出成形による射出成形部分として形成されたケーシング内に組み込まれて」いることで一致することは上記説示したとおりであるし、ケーシングの一部であるセントラルプレートを含めケーシング全体をプラスチック射出成形によるものとすることは、当業者が適宜採用し得ることである。
　該ケーシング及び加熱装置に関する技術的事項について、請求人は、平成２５年２月７日付け回答書の「２．（３）本願発明と引用発明１との対比」の欄において、「引用発明１の計量ポンプユニットは、確かに、セントラルプレート４０に加熱要素を備えております。 しかし、引用発明１においては、加熱要素はセントラルプレート４０の角部に配置されていることから、セントラルプレート４０に設けられた他の各要素に熱を効率よく伝えることを想定しているとは到底いえません。たとえ加熱要素をセントラルプレート４０の角部に配置した構成で各要素に熱を伝えることを想定していたとしても、加熱要素から離れた位置にある構成要素に熱を伝達するためには、熱伝導に優れた金属製のセントラルプレート４０を採用することしか考えられず、セントラルプレート４０をプラスチック射出成形による射出成形部分として形成することはありえません。これに対して、本願発明は、ケーシング（５２）をプラスチックから形成するからこそ、加熱装置（８２）をケーシング（５２）の中央近傍に配置することが必要になるのであります。」との主張をしている。
　請求人が上記主張するとおり、引用文献には「セントラルプレートを金属製として、加熱要素から生じた熱を、計量ポンプユニットの液圧系の全構成要素に良好に導くことができるようにする。」（上記２．（１）エ）段落【００２１】）と記載されている。
　しかしながら、引用文献には、「セントラルプレートは、金属部品、又は、好ましくはプラスチックによる射出成形部品として、製造することができる。」（上記２．（１）ウ）段落【００１０】）、「セントラルプレートは、加熱要素のための中空部を、駆動装置ハウジング側表面に備えるとよい。このようにすれば、セントラルプレート内部の液圧系コンポーネントを加熱することができるので、低温が原因で、計量ポンプユニット内で還元剤が凍結することを防止することができる。」（上記２．（１）エ）段落【００２１】）及び「さらに、セントラルプレート４０のフロントプレート８０側表面には、中空部１６８が形成されている。この中空部には、加熱要素が挿入される。この加熱要素は、セントラルプレート４０を加熱して、各流路における還元剤の凍結を防止する。」（上記２．（１）ク）段落【００８２】）と記載されている。
　そうすると、セントラルプレートを含むケーシングをプラスチック射出成形部品とする際に、（その熱伝導性が金属に比べて良好でないとしても、）ケーシング内部の液圧系コンポーネントを加熱して還元剤の凍結を防止できる程度のプラスチック材料を用いることに当業者の格別の創意は要しないといえる。さらに、加熱要素の加熱による自明の作用効果である熱伝達及び熱放射を考慮して、加熱要素の配置箇所をケーシング内の液圧系コンポーネントの配置構成に照らして適宜好適化することは、当業者の通常の創作能力の発揮であって設計事項であるといえる。
　なお、引用発明の加熱要素の配置について付言すると、引用文献の図８に示された加熱要素を収容するセントラルプレート４０は、カップ状の駆動装置ハウジング（図示は無し）、フロントプレート８０、セントラルプレート４０及びエンドプレート４２の配置順から考慮して計量ポンプユニットの中央近傍の配置といえるものであり、本願補正発明の「ケーシング（５２）の中央近傍に配置して収容されている」という発明特定事項との格別な差異はないといえるし、セントラルプレート４０内においてさらに中央の配置とすることは、前記したとおり液圧系コンポーネントとの関係における配置構成の好適化であって設計事項であるといえる。
　したがって、引用発明に基き、相違点３に係る本願補正発明の発明特定事項に想到することは当業者が容易になし得ることである。
　
　また、本願補正発明を全体として検討しても、その作用効果は、引用発明から当業者が予測可能な範囲のものである。
　
　したがって、本願補正発明は、引用発明に基いて当業者が容易に発明をすることができたものであるから、特許法第２９条第２項の規定により特許出願の際独立して特許を受けることができないものである。
　
５．むすび
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
　
　よって、結論のとおり決定する。
　
第３．本願発明について
　平成２４年９月２８日付けの手続補正は上記のとおり却下されたので、本願の請求項１に係る発明（以下、「本願発明」という。）は、平成２３年１０月１４日付けで補正された特許請求の範囲の請求項１に記載された事項により特定される、上記「第２．［理由］１．（１）（ａ）」のとおりのものである。
　
１．引用刊行物
　原査定の拒絶の理由に引用された刊行物である引用文献については、上記「第２．［理由］２．」に記載したとおりである。
　
２．対比・判断
　本願発明は、上記「第２．」で検討した本願補正発明から、上記「第２．［理由］１．（２）」で説示した限定事項を省いたものである。
　そうすると、本願発明を特定する事項をすべて含む本願補正発明が、上記「第２．［理由］３．及び４．」に記載したとおり、当業者が容易に発明をすることができたものであるから、本願発明も、同様の理由により、引用発明に基いて当業者が容易に発明をすることができたものである。
　
３．むすび
　以上のとおり、本願発明は、引用発明に基いて当業者が容易に発明をすることができたものであるから、特許法第２９条第２項の規定により特許を受けることができない。
　
　よって、結論のとおり審決する。